(57)【特許請求の範囲】
【請求項１】
ＣＤプレーヤ／レコーダ、ＤＶＤプレーヤ／レコーダ、ブルーレイプレーヤ／レコーダ、ワイヤレスマイク（１６）、通信及びインターネット使用のための少なくとも１台のウェブカメラを含む、及び上記で特定した１つ又は複数の音声又は映像源から提供するデータの処理を容易にするプロセッサ、及び前記処理データの保存を容易にするハードディスクを含む、音響映像（ＡＶ）コンテンツを保存及び再生する携帯マルチメディア装置（１０）であって、  
該装置（１０）は、該装置（１０）の最上面に回転ディスコボール（２２）を含み、前記ディスコボール（２２）が、該ボール（２２）のベースセグメント（７０）の表面に、及び前記ボール（２２）の少なくとも３つの二次セグメント（４８、５８、６０）の表面に配設した光源（６４）によって生成する可動な光線を配光し、
前記セグメント（７０、４８、５８、６０）は、個別に制御する２個の電動モータ（４０、８６）による駆動で回転し、
前記電動モータ（８６）は、回転を駆動輪（８４）を介して摩擦面（８２）に伝達し、それにより前記ベースセグメント（７０）を、前記ボールのベースベイ（４２）内で、前記第２電動モータ（４０）軸を通り走るＡ−Ａ’軸周りに回転させ、それにより前記モータ（４０）が小車（４６）及び大車（７２）を介してＢ−Ｂ’軸周りに車軸（７４）を回転させ、
車（７２）を、前記ベースセグメント（７０）内に配置し、Ｂ−Ｂ’軸を、今度はＡ−Ａ’軸に対して斜角にし；
スポーク受け部（５４）を、前記ボールの中心に配置し、前記車軸（７４）に取着し、
前記スポーク受け部（５４）の残りの車軸周りに、前記二次セグメント（４８、５８、６０）が回動し；
前記光源（６４）を、前記セグメント（４８、５８、６０、７０）全ての外面に亘り配設することを特徴とする、携帯マルチメディア装置（１０）。
【請求項２】
前記ボール（２２）を昇降するよう設計した手段を含み、
運転していない際に、前記装置（１０）のケース内に前記ボール（２２）を収容し、適切なカバーを使用して密閉する一方、運転開始時には、前記ボール（２２）を、前記昇降手段を使用して前記装置（１０）のケースの内部から、前記回転ディスコボール（２２）のベース（４２）を、前記装置（１０）の最上面と面一に固定するまで、上昇させることを特徴とする、請求項１に記載の携帯マルチメディア装置（１０）。
【請求項３】
投光器、ストロボ光（２４）、回転ディスコ光（３０）、レーザ光、不可視光、多色発光ダイオードから成る群から選択する、少なくとも１つの更なる視覚効果源を、更に含むことを特徴とする、請求項１に記載の携帯マルチメディア装置（１０）。
【請求項４】
事前にプログラミングしたライトショーのシーケンス又はユーザがプログラミングしたシーケンスの代りに、ランダムな信号選択を使用して再生中の音楽に対応して、内蔵コントローラを使用して、照明効果の制御を容易にすることを特徴とする、請求項１乃至３のいずれかに記載の携帯マルチメディア装置（１０）。
【請求項５】
事前にプログラミングしたライトショーのシーケンス又はユーザがプログラミングしたシーケンスの代りに、ランダムな信号選択を使用して再生中の音楽に対応して、内蔵コントローラを使用して、セグメント（７０、４８、５８、６０）回転の制御を容易にすることを特徴とする、請求項１乃至３のいずれかに記載の携帯マルチメディア装置（１０）。
【請求項６】
インターネットのリンクを介してパーティを放送可能するだけでなく、様々なＡＶ源から受信したコンテンツを、単一の新たなＡＶコンテンツに編集して、当該コンテンツをインターネットにアップロードすることで、他のユーザが当該コンテンツをインターネットからダウンロードして、それを使用できるようにすることを特徴とする、請求項１乃至５のいずれかに記載の携帯マルチメディア装置（１０）。
【請求項７】
前記装置の様々な機能を制御するために、及び映像コンテンツを表示するために使用する、標準的なディスプレイ又はタッチスクリーンディスプレイの形をした内蔵ディスプレイ（３２）を含むことを特徴とする、請求項１乃至６のいずれかに記載の携帯マルチメディア装置（１０）。
【請求項８】
前記回転ディスコボール（２２）を展開しても、前記回転ディスコボールを展開し運転しても、前記携帯マルチメディア装置（１０）を持ち運び可能にするように配置した運搬ハンドル（２８）を備えることを特徴とする、請求項１乃至２のいずれかに記載の携帯マルチメディア装置（１０）。
【請求項９】
任意の数のウェブカメラ及びマイクを更なるチャネルを介して接続可能にして、イベントを他のユーザにインターネットを介して記録及び／又は放送可能にすることを特徴とする、請求項１に記載の携帯マルチメディア装置（１０）。
【請求項１０】
ベースセグメント（７０）と、少なくとも３つの二次セグメント（４８、５８、６０）から成り、
前記セグメント（７０、４８、５８、６０）は、個別に管理する少なくとも２個の電動モータ（４０、８６）による駆動で回転し、
前記電動モータ（８６）は、回転を駆動輪（８４）を介して摩擦面（８２）に伝達し、それにより前記ボールのベースベイ（４２）内で、前記第２電動モータ（４０）の軸を通り走るＡ−Ａ’軸周りに前記ベースセグメント（７０）を回転させ、前記第２電動モータ（４０）は、前記ベースセグメント（７０）に存在する小車（４６）及び大車（７２）を介して、Ａ−Ａ’軸に対して斜角に位置するＢ−Ｂ’軸周りに、車軸（７４）を回転させ；
スポーク受け部（５４）を、前記ボールの中心にある車軸（７４）に固定し、該受け部から、その周りに前記二次セグメント（４８、５８、６０）が回動する残りの車軸が、突出しており；
光源（６４）を、前記セグメント（４８、５８、６０、７０）全ての外面に亘り配設することを特徴とする、回転ディスコボール（２２）。
【請求項１１】
前記二次セグメント（４８、５８、６０）間の接続だけでなく、トルクも、前記二次セグメント（４８、５８、６０）が転動し、互いに接触する摩擦面（６８）の使用を通じて達成できることを特徴とする、請求項１０に記載の回転ディスコボール（２２）。
【請求項１２】
前記摩擦面の代わりに、歯車伝達装置を、前記セグメント（４８、５８、６０、７０）間に適用することを特徴とする、請求項１１に記載の回転ディスコボール（２２）。
【請求項１３】
前記摩擦面（６８）に印加する圧力を、バネ（６２）を使用して得ることを特徴とする、請求項１０乃至１１のいずれかに記載の回転ディスコボール（２２）。
【請求項１４】
同じ方向に回動する前記二次セグメント間に、間隙部（５６）を存在させることを特徴とする、請求項１０に記載の回転ディスコボール（２２）。
【請求項１５】
前記光源（６４）を、発光ダイオードとすることを特徴とする、請求項１０に記載の回転ディスコボール（２２）。
【請求項１６】
前記電源を、２つ以上の独立したチャネルを通じて発光ダイオードに供給することを特徴とする、請求項１５に記載の回転ディスコボール（２２）。
【請求項１７】
前記ベースセグメント（７０）及び該ベースセグメントに付随する発光ダイオードの電源を、２つ以上の独立したチャネルを通じて、２個以上の一次ブラシ（４４）及び２個以上の金属スリップリング（８０）を使用して供給する一方で、前記二次セグメントの電源を、２個以上の二次ブラシ（７８）及びスリップリング（７６）を使用して供給し、前記二次セグメントの発光ダイオードを、今度は前記スリップリング（５２）及び三次ブラシ（５０）を介して前記電源に接続することを特徴とする、請求項１６に記載の回転ディスコボール（２２）。
【請求項１８】
前記ベースセグメント（７０）と前記二次セグメント（４８、５８、６０）の各表面で、少なくとも１つのディスプレイ又は複数の独立したディスプレイを形成することを特徴とする、請求項１０に記載の回転ディスコボール（２２）。
【発明の詳細な説明】
【技術分野】
【０００１】
本発明は、携帯エンターテインメント電子装置−パーティプレーヤに関し、特に、国際特許分類（ＩＰＣ）のＧ１０Ｋ及びＦ２１Ｌ分類に従う、回転ディスコボールを有する音響映像（ＡＶ）コンテンツを保存及び再生する携帯マルチメディア装置に関する。
【背景技術】
【０００２】
今日のＣＤプレーヤ、ＤＶＤプレーヤ、家庭用マルチメディアセンタ、ホームシアタＰＣ、カラオケ装置は、通常、別々の固定装置又は携帯装置として製造されている。同じことが回転ディスコボールにも言える。
【０００３】
ディスコクラブで使用される標準的な回転ディスコボールは、表面に固定された小さな鏡を有し、該鏡が、外部の投光照明で投射される多色光を使用して、照明される。様々な方向の軸周りに回動する、完全なボール、又は複数のボールを伴う設計もある。これらのボールは、表面に内蔵した多色指向性光源又はボールの中心にある単色光源と表面に配置された複数の多色フィルタを含む。結果的に、より多数の指向性光源に匹敵する。
【発明の概要】
【発明が解決しようとする課題】
【０００４】
本発明の目的は、単一ユニットで複数のエンターテインメント装置を統合し、更に回転ディスコボールが発する照明効果を備える、全てを包含する携帯マルチメディア装置を創作することである。携帯マルチメディア装置の技術的設計は、回転ディスコボールに対して提供し、該ディスコボールを、運転していないときに適当なカバーによって密閉するマルチメディア装置のケース内に収容する。運転する際には、回転ディスコボールを、昇降機構を使用して、装置ケースから外に上昇させる。その後、回転ディスコボールのベースを、マルチメディア装置ケースの先端とアライメントする。
【０００５】
次なる本発明の目的は、内蔵コントローラを使用して、回転ディスコボールの照明と他の視覚効果を制御することである。この制御は、演奏中の音楽、ランダムな信号選択、メーカ、プログラミングしたライトショーのシーケンス又はユーザが事前にプログラミングしたシーケンスによって内部的に行われる変更に対応する。シーケンスは、ＰＣ又は同様なコンピュータ上で、或いはマルチメディア装置自体の画面上で実行できる適切なコンピュータソフトウェアを使用して、準備してもよい。ソフトウェア支援を使用して、様々な動きの回転ディスコボールと他の照明効果に関する特定の「ダンス」振付けを創作できる。
【０００６】
本発明の更なる目的は、他のパーティプレーヤのユーザに対するウェブカメラを使用したインターネットビデオリンクとは別に、ＡＶコンテンツ、カラオケのパフォーマンス又は音声通信の録音録画をし易くすることである。ユーザが追加的に購入、接続、配設してもよい任意の数のウェブカメラ及びマイクロホンと接続できる。インターネット経由で自分のパーティでのイベントについて、録音録画する及び他のユーザに、パーティプレーヤの有無に関わらず、放送することもできる。
【課題を解決するための手段】
【０００７】
本発明の目的は、様々なＡＶコンテンツ、カラオケをダウンロード、録音録画、保存、アップロード及び再生可能な、及びインターネットを介してユーザ同士を相互接続可能な、視覚に訴えるエンターテイメント電子装置を実現することである。また、該装置は、ディスコクラブやナイトクラブで、コンサート、イベント、パーティ等で通常使用される様々な照明効果の、家庭環境における、また携帯モード使用での再生及びプログラミングにも対応する。パーティプレーヤマルチメディア装置の一体化部品である、回転ディスコボールは、主に、革新的な機械構造を通じてユーザの注意を引き付ける視覚に訴える付加物となり、本装置を市場でユニークたらしめる。この手の携帯エンターテイメント電子装置のコンセプトは、新規で革新的なだけでなく、ユニークな構造のボールを特徴としている。
【０００８】
これ以降、以下の図面を参照して、本発明の詳細な説明を行う。
【図面の簡単な説明】
【０００９】
【図１】様々な可能な追加の別装置を有する本発明の可能な実施形態について表している。
【図２】回転ディスコボールの実施形態の部分断面図を表している。
【図３】回転ディスコボール内にある発光ダイオードの接続に関する配置図を表している。
【図４】回転ディスコボールの可能な実施形態−デスクトップの実施形態を表している。
【図５】回転ディスコボールの可能な実施形態−ディスコの実施形態を表している。
【発明を実施するための形態】
【００１０】
図１は、マルチメディア装置（１０）‐パーティプレーヤの可能な実施形態の１つについて表している。装置（１０）の重要な部分は、装置の重要な領域である最上部に位置するユニークな回転ディスコボール（２２）であり、該部分により、可動な光線を、ボールセグメントの表面に均一に配設した、多色の指向性ＬＥＤから、壁及び天井全体に伝播できる。ボール（２２）が機能していないときには、該ボールを、カバーで密閉した装置ケース内に収納する。また、図示した実施形態では、ボール（２２）とは別に、装置の上部には、他の視覚的効果、例えば、閃光装置、即ち、ストロボ光（２４）と回転ディスコ光（３０）も含む。それ以外に、例えば、レーザ光、紫外線光（不可視光線）、発光ダイオードの様々な色の光等、他の魅力的な照明効果も、備えられる。照明効果の調節を、内蔵コントローラを使用して、メーカ、プログラミングしたライトショーのシーケンス又はユーザが事前にプログラミングしたシーケンスによって内部的に実行する変更である、ランダムな信号選択を通じて、演奏中の音楽に対応させて達成できるが、該信号選択を、ＰＣ又は同様なコンピュータ上で、或いはマルチメディア装置自体（１０）の画面（３２）上で実行できる適切なコンピュータソフトウェアを使用して、準備してもよい。また、セグメント（７０、４８、５８、６０）回転の調節を、内蔵コントローラを使用して、事前にプログラミングしたシーケンス又はユーザがプログラミングしたシーケンスの変更である、ランダムな信号選択を通して、演奏中の音楽に対応させて達成することもできる。
【００１１】
装置自体によって生じる照明効果とは別に、外部装置、例えば、操縦可能な指向性の多色投光照明、操縦可能な多色のレーザ光線、追加のディスコボール、煙霧機、泡機等を接続することも可能である。そうした追加外部装置の制御を、標準的なＤＭＸ−５１２プロトコルとそれに付随する標準ケーブルを使用して実行してもよく、それにより、既存のＤＭＸ技術に適合可能な装置を接続、プログラミング、制御し易くなり、その結果、本発明の実用性や普遍的な使用を促進できる。適切なソフトウェアを使用して、ユーザ自身が、音楽と同期して、又は独立して、ボール動作シーケンスをプログラミングし、発光ダイオードと投光照明の輝度、フラッシュ装置、不可視光、レーザ光線、回転光、及び他の照明効果を制御し、次に、例えば、カラオケ歌詞を伴うプログラミングしたシーケンスを、音楽又は映像コンテンツとリンクさせて、それらをインターネットにアップロードして、他のユーザがそれらをダウンロードして、使用できるようにしてもよい。メーカと適切な数の関心のあるユーザがサポートする場合、こうしたアプローチは、出来る限り複合的で豊富で魅力的な被記録視覚的シーケンスにする点に関して、個人や非営利的ユーザ間である程度競争させることもでき、その結果、ＤＭＸ技術を使用する既存の機器と互換性がある、新たなオプション品を購入するよう他のユーザに促すことになろう。また、パーティプレーヤに対するユーザの関心を維持し、拡大するために、そうしたオプション装置を、後で技術的に開発して、市場に導入することもできる。
【００１２】
比較的小型なこの種の実施形態の回転ディスコボールは、即座に機械的に反応し易く、ボールセグメントを迅速且つ正確に制御する状態に移動し、その結果、関心のあるユーザが、上記プログラミングによるサポートを使用して、回転ディスコボールの様々な動作や他の照明効果に関する特定の「ダンス」振付けを創作可能になるが、振付の独創性は、ユーザの想像力によってのみ限定されるであろう。
【００１３】
その他に、マルチメディア装置（１０）の図示した実施形態の一体化部品を、ベイ（２６）に固定して保持する取外可能なワイヤレスウェブカメラ（１２）とし、該カメラを、標準的な小型ＵＳＢ接続を介して、装置（１０）に接続して、内蔵型充電池を再充電する。また、装置（１０）は、ワイヤレスマイク（１６）に接続し、該マイクを使用して、カラオケ又は音声通信用の音響コンテンツを録音するのと並行して、装置（１０）の他のユーザとのインターネットを介し、ウェブカメラを使用した映像通信も録画する。装置間のデータ接続を、適切な標準的な無線通信により達成してもよい。ユーザが追加で購入、接続、配置する任意の数のウェブカメラやマイクロホンを接続できるだけでなく、他のユーザに対して、装置（１０）の有無に関わらず、インターネットを介して自分達のパーティでの事象を記録及び／又は放送することもできる。パーティプレーヤの互いに面識のあるユーザと他のユーザ間の接触を、適切なメーカのウェブサイト、インターネットベースのソーシャルネットワーク（例えば、Ｆａｃｅｂｏｏｋ、Ｔｗｉｔｔｅｒ、ＭｙＳｐａｃｅ等）、様々なフォーラム又は適切なサーチエンジンの他、ＶｏＩＰ技術（例えば、Ｓｋｙｐｅ．ｃｏｍ等を介して）を通じて確立できる。また、パーティプレーヤの複数のユーザ間で同時にテレビ会議通信を確立することもできる。
【００１４】
装置（１０）を携帯可能とし、折畳み運搬ハンドル（２８）を、ボールを延伸した動作位置にで、係止した際に、装置を運搬し易いように配置し、街頭、ガーデンパーティ、夜のビーチパーティ等で若者グループにアピールしてもよい。携帯性を確保するために、装置（１０）は、バッテリ又は二次電池等の独立した電源を備える必要がある。装置のバッテリと、追加のウェブカメラ及びマイクロホンのバッテリの充電を、特定の充電器を使用して容易にでき、シガレットライターソケットを介して、車のバッテリ電源オプションを提供することもできる。
【００１５】
装置（１０）の更なる顕著な特徴は、内蔵スクリーン（３２）、即ちタッチスクリーンディスプレイである。該スクリーンを、適切なメニューを通じて、装置の様々な機能を一層容易に管理するための他、様々なＡＶコンテンツ及びマルチメディアコンテンツ、ビデオクリップ、他のネットワークユーザのウェブカメラによって送信されたディスプレイ画像、インターネットサイト、カラオケモードの歌詞、テレビ画像等を再生するために、使用する。比較的大きなディスプレイであっても、装置（１０）を、ＨＤＴＶ、プロジェクタテレビ、ビデオプロジェクタ、ビデオウォール等の屋外大型スクリーン装置に接続するのが望ましい。
【００１６】
通常大勢の人々が集うホームパーティの状況で、満足のゆく品質、音量、低音（ｂａｓｓ）の音を得るために、装置（１０）を、外部の、別に購入したサブウーファ（２０）、又は標準的なオーディオケーブルを使用して外部のハイファイ装置に接続してもよい。
【００１７】
また、装置（１０）を、標準的なＣＤプレーヤ、ＭＰ３プレーヤ、ラジオ及びテレビ、ＤＶＤプレーヤ／レコーダ、ブルーレイプレーヤ／レコーダとして使用してもよく、その内蔵プロセッサ、ハードディスク、ウェブカメラ（１２）及びインターネット接続のために、家庭用マルチメディアセンタとして、また映画、音楽、写真や他のＡＶコンテンツを保存及び再生する装置として、使用してもよい。固定式家電とは異なり、部屋間で持ち運びが容易であり、或いは野外でも使用できる。マルチメディアセンタとして使用する際に、ユーザが所望すれば、照明効果機能を消すこともでき、回転ディスコボールを非作動状態にし、装置ケース内のそのベイ内に隠す。リモコン（１８）を、より遠い距離から装置の様々な機能を制御し易くするために、使用してもよい。
【００１８】
図２は、部分断面図を表し、回転ディスコボールの実施形態の内部を示している。回転ディスコボール（２２）を、装置（１０）の最上面に配置する。ボール（２２）は、該ボール（２２）のベースセグメント（７０）表面上と、上記ボール（２２）の少なくとも３つの二次セグメント（４８、５８、６０）の表面上に配設した光源（６４）から可動光線を配光する。セグメント（７０、４８、５８、６０）は、個別に操縦する２電動モータ（４０、８６）による駆動で回動し、該電動モータ（８６）と駆動輪（８４）が、摩擦面（８２）に回転を伝達すると、それによりベースセグメント（７０）を、ボールのベースベイ（４２）内で、第２電動モータ（４０）軸を通り走るＡ−Ａ’軸周りに回転させ、その結果、車軸（７４）を、上記ベースセグメント（７０）内に位置する大車（７２）、及び小車（４６）を通るＡ−Ａ’軸に対して斜角を成すＢ−Ｂ’軸周りに回す。ボールの中心では、スポーク受け部（５４）を車軸（７４）に固定し、上記二次セグメント（４８、５８、６０）がその周りに回転する二次車軸は、差動装置から出ている；一方で、光源（６４）を、上記セグメント（４８、５８、６０、７０）全ての外面に配設する。この実施形態では、適切なバネ（６２）を使用して、摩擦面を加圧する。互いに接触する二次セグメント（４８、５８、６０、６６）は、摩擦面（６８）に沿って転動する一方で、同じ方向に回るこれらのセグメント間には、特定の間隙（５６）が存在する。セグメントの大きさは可変で、各セグメントの回転数は、その直径に反比例する。この実施形態では、多色発光ダイオード（６４）を、セグメントの外面に配設し、該セグメントを、この例では、４つの独立したチャネルを介して駆動する。４つの独立したチャネルを、適切なコントローラ（図３）、３つの一次ブラシ（４４）と３つの金属スリップリング（８０）を使用して機能させ、それにより、ベースセグメント（７０）と該セグメントに設置された発光ダイオードに給電する。更には、電源を、３つの二次ブラシ（７８）、及びスポーク受け部（５４）に達する車軸（７４）を通して配置したスリップリング（７６）と導電体を通じて供給するが、スポーク受け部は、各二次セグメント（４８、５８、６０、６６）へと分岐し、各セグメントの発光ダイオードを、スリップリング（５２）と三次ブラシ（５０）を通じて駆動する。発光ダイオードの電源用に使用する導電体については、より単純にし、混乱を防ぐために、図２では示していないが、図３には、接続に関する配線略図を含めている。
【００１９】
また、携帯マルチメディア装置（１０）は、ボール（２２）を昇降する手段を含み、該ボール（２２）を、装置（１０）ケース内に収容し、動作していないときには適切なカバーを使用して密閉する一方、動作中は、ボール（２２）を、昇降機構を使用して、装置（１０）の内部から、回転ディスコボール（２２）のベース（４２）が装置（１０）上面と面一に固定されるまで、上昇させる。
【００２０】
電気駆動モータに送信した電気信号に対してボール動作を確実に瞬時に機械的に反応させ、それにより確実に迅速に運動させ、敏速に運動速度及び方向を変更させるために、ボールは低質量で、その比較的小型で単純な構造を考えると、達成し易い。同じ理由で、セグメントがその周りに回動するベアリングで発生する摩擦が、低く抑えられる。セグメント同士を離隔するように圧縮したバネ（６２）で加圧することで、確実に、摩擦を増大させ、それにより摩擦面（６８）の滑りを減少させ、例えば子供の指といった異物が、運転中にセグメント間に入り込むことに対する一定の安全機構とすることもできる。また、それとは別に、安全については、摩擦面（７２及び８２）上で駆動輪（４６及び８４）を容易に摺動させ、電動モータ（４０及び８６）のパワーを比較的低くすることでも確保できる。また、ボールが機械的に不具合になった場合に、駆動機構を切断するように設計した自動システムも、適宜備えられる。
【００２１】
図３は、回転ディスコボール内の導電体の配置図を表している。この実施形態では、４つの独立したチャネルをコントローラに供給し、該コントローラは、信号を、交流信号に変換して、ブラシ（４４）及びスリップリング（８０）に供給し、その後更にブラシ（７８）及びスリップリング（７６）に供給し、車軸（７４）を通して配置した導電体、スリップリング（５２）及びブラシ（５０）を通じて、関連する二次セグメント及びそれらの発光ダイオードに供給する。Ｌ０に対するＬ１の正電圧で、ＬＥＤ１１と同方位の並行する全発光ダイオードのスイッチが入る。Ｌ０に対するＬ１の負電圧で、ＬＥＤ１３と同方位の並行する全発光ダイオードのスイッチが入る。Ｌ０に対するＬ１の交流電圧で、ＬＥＤ１１とＬＥＤ１３のスイッチが同時に入る。同様に、Ｌ０に対するＬ２の正電圧で、ＬＥＤ１４と同方位の並行する全発光ダイオードのスイッチが入る。Ｌ０に対するＬ２の負電圧で、ＬＥＤ１２と同方位の並行する全発光ダイオードのスイッチが入る。Ｌ０に対するＬ２の交流電圧で、ＬＥＤ１２とＬＥＤ１４のスイッチが同時に入る。
【００２２】
回転ディスコボールを、図４に表すように、それ自体のベース上に存在するスタンドアロン要素として創作してもよい。この種の実施形態では、ＤＭＸ技術を使用して既存のパーティプレーヤに、或いは例えば、ＰＣ、携帯用コンピュータ、又は音声信号の別のソースに、いかなる数でも独立して接続できる、或いはスタンドアロン装置として完全に独立して接続できる。ボールの大きさだけでなく、セグメントの数や大きさも可変としてもよく、セグメント表面に、発光ダイオードの代わりにディスプレイを含むボールを作製することもできる。
【００２３】
ディスコクラブで使用するのに、図５に表したように、部屋の天井に取付ける大型版の回転ディスコボールを構築できる。摩擦面を使用する代わりに、セグメント間の歯車伝動装置を採用してもよい。ボールを、延長パイプ（９０）の先に配置してもよく、その回転、従ってベースセグメントの回転を、単一の電動モータ及び適切な減速装置（ｒｅｄｕｃｅｒ）によって促進する。また、減速装置の使用を伴う第２電動モータで、該パイプ（９０）を通る第２車軸（９２）を回し、二次セグメントを回す。電力を、セグメントの表面に亘り配設した光源又はディスプレイに、車軸（９０）に沿って配置した導電体を通じて、及び適切に配置したブラシ及びスリップリングを通じて、供給する。この実施形態の全質量が大きなため、ベース及び二次セグメントの回転速度及び方向の変更を、小型版の場合と同じくらい敏速にはできないものの、この種の実施形態の回転ディスコボールに関する動作の魅力や全外観は損なわれない。
【符号の説明】
【００２４】
１０      パーティプレーヤに関する可能な実施形態の１つ
１２      携帯ウェブカメラ
１４      携帯ウェブカメラのホルダ
１６      カラオケマイク
１８      リモコン
２０      サブウーファ
２２      回転ディスコボール
２４      フラッシュ（ストロボ）光
２６      ウェブカメラのベイ
２８      折畳み運搬ハンドル
３０      回転ディスコ照明
３２      ディスプレイ（タッチスクリーン）
４０      二次セグメントを駆動する電動モータ
４２      回転ディスコボールのベース
４４      発光ダイオード電源の一次ブラシ
４６      二次セグメントを駆動する電動モータの駆動輪
４８      第１小型二次セグメント
５０      発光ダイオード電源の三次ブラシ
５２      発光ダイオード電源の三次スリップリング
５４      その周りにセグメントが回転する車軸を固定したスポーク受け部
５６      同方向に回転するセグメント（この場合セグメント４８と６０）間の間隙
５８      第２大型二次セグメント
６０      第１大型二次セグメント
６２      二次セグメントをボール中心に押圧するバネ
６４      発光ダイオード
６６      第２小型二次セグメント
６８      セグメント間を接触させるゴム摩擦面
７０      ベースセグメント
７２      車軸（７４）を回す伝達車
７４      二次セグメントの駆動軸
７６      発光ダイオード電源の二次スリップリング
７８      発光ダイオード電源の二次ブラシ
８０      発光ダイオード電源の一次スリップリング
８２      ゴム摩擦面
８４      ベースセグメントを駆動する電動モータの駆動輪
８６      ベースセグメントを駆動する電動モータ
９０      ベースセグメントの駆動軸
９２      二次セグメントの駆動軸
【図１】
0005580487.tif 000002
【図２】
0005580487.tif 000003
【図３】
0005580487.tif 000004
【図４】
0005580487.tif 000005
【図５】
0005580487.tif 000006